(57)【要約】【課題】プリペイドカードのＩＤコード又は識別番号を使用してＩＰインターネットワークを介して通話を可能とする技術を提供する。【解決手段】プリペイドコーリングカードすなわち、プリペイドカード１４を店舗等で購入し又は所有する通話者は、該プリペイドカード１４に記録されているＩＤコードや識別番号を該プリペイドカード１４の表面又は裏面を摩擦する等により認識し、このＩＤコードや識別番号を上記ＩＰ電話機７のキーパッドを使用して入力する。これによりインターネットワーク１２に接続されたサーバー１３が上記通話者のＩＤコード又は識別番号に該当するプリペイドカード１４が許容通話時間の有無及び有効であるか否かを判定し、これらが適正であれば相手方のＩＰ電話機１５への通話を許容して電話通信を行なうプリペイドカード方式のＩＰ電話機システム。【選択図】図１
2005175999.tif 000002
【特許請求の範囲】
【請求項１】
通話者がプリペイドカードで通話できる単一又は複数のＩＰ電話機と、該ＩＰ電話機から発信された通話送信信号を通信回線を介して、一方のゲイトウエイ及びＩＰインターネットワークに接続し、かつ該ＩＰインターネットワークに通信回線を介して他方のゲイトウエイ及び相手側の単一又は複数の電話機とに接続してなる電話システムに於いて、上記ＩＰインターネットワークに上記プリペイドカードの有効性及び通話時間を記憶・判定する手段を備えたサーバーを接続し、通話の際に上記ＩＰ電話機にプリペイドカードの有効性情報又は通話関連情報を報知することを特徴としたプリペイドカード方式のＩＰ電話機システム。
【請求項２】
通話者がプリペイドカードで通話できる単一又は複数のＩＰ電話機と、該ＩＰ電話機から発信された通話送信信号をＡＤＳＬ回線を介してファクシミリからの送受信を可能とする一方のゲートウエイ及びＩＰインターネットワークに接続し、かつ該ＩＰインターネットワークに接続された国際通話通信システム、国内通話通信システム及びローカル局システムに於いて、上記国際通話通信システム、国内通話通信システム及びローカル局システムに他方のゲートウエイ及び／又はディジタルＰＢＸを介して上記通話送信信号を受信する相手側の単一又は複数の電話機を備えてなり、上記ＩＰインターネットワークに上記プリペイドカードの有効性及び通話時間を記憶・判定する手段を備えたサーバーを接続し、通話の際に上記ＩＰ電話機にプリペイドカードの有効性情報又は通話関連情報を報知することを特徴としたプリペイドカード方式のＩＰ電話機システム。
【発明の詳細な説明】
【技術分野】
【０００１】
本発明は、主として、国内又は国際間の電話機システムに関し、特に、プリペイドカードのＩＤコード又は識別番号を使用して、ＩＰインターネットワークを介して通話を可能とするプリペイドカード方式のＩＰ電話機システムに関するものである。
【背景技術】
【０００２】
従来から使用されている一般的な電話交換システムは図４に示すような構成であった。これについて説明すれば、加入者１Ａ、１Ｂ、１Ｃ及び１Ｄが所有する電話機が多数ある場合には、すべての電話機の相互間に電話送信線又は加入者線２Ａ、２Ｂ、２Ｃ及び２Ｄを設置することは複雑であって、かつ不経済となる。このため通常に於いて、電話機の設置されている地域の中心部に各電話機からの電話送信線を集合させ、任意の２つの電話機の相互の回線を接続して通話ができるように構成する。これが電話交換であり、その電話交換に使用する機器を電話交換機という。また、電話交換の場所を電話交換局３Ａ、３Ｂ、３Ｃ及び３Ｄという。
【０００３】
電話機の数及び使用回数が少ない場合には、人が中心になって、回線の選択接続を行なう手動交換方式があったが、現在は自動電話交換システムに変遷している。
そして、一つの都市又は区域内の電話交換を市内電話交換といわれ、加入者１Ａないし１Ｄが少ないときは、電話交換局３Ａないし３Ｄのうち一つで済むが、加入者１Ａないし１Ｄが広い地域に多数分散しているときは、多数又は複数の電話交換局３Ａないし３Ｄを設置する。そして、この電話交換局３Ａないし３Ｄの間は局間中継線４Ａないし４Ｆで接続され中継交換を全ての加入者１Ａないし１Ｄ間で通話できるようにする。
また、上記都市又は区域（海外区域を含む）の相互間の電話交換を市外電話交換といわれ、その場所が市外局６Ａ、６Ｂである。この都市又は区域相互間の距離が長くなると、通話電流が減衰するので、一定間隔毎に中継増幅器を備えた中継所５Ａ、５Ｂを設置する。そして、上記市外局６Ａ及び６Ｂ間は上記中継所５Ａ、５Ｂを介在させて、局間中継線４Ｇ、４Ｈ、４Ｉで接続されている。
【非特許文献１】株式会社三省堂発行「電気工学必携」
【発明の開示】
【発明が解決しようとする課題】
【０００４】
従来の技術は、叙上の構成であるので、次のような課題が存在した。
すなわち、上記加入者１Ａないし１Ｄが所有している電話機は、固定式であって、それぞれ通話を希望する者が当該電話機の設置場所に赴き、当該電話機を操作して相手側と通話する電話交換システムであった。また、他の例としては各種の店舗や商店に設置されている当該固定式電話機にテレホンカードを挿入して該固定式電話機で相手側と通話する電話交換システムであった。
而して、上述の従来の技術に於ける電話交換システムによれば、電話機が必ずしも通話する場所に設置されておらず、相手側と通話することが、不利不便であるという問題点があった。
【０００５】
加えて、図４に示す電話交換システムによれば、加入者線２Ａないし２Ｄや局間中継線４Ａないし４Ｆ及び４Ｇないし４Ｉ等の専用回線を引廻して設置する必要があるうえに、市外局（端局）６Ａ、６Ｂを設けると共に随所に中継所５Ａ、５Ｂを設営することが要求され、大規模な電話システムを構築することになり、施工費用が大幅に累むばかりか、施工納期も長期間となり、設置が容易でないという問題点があった。また、当該電話交換システムの改変や再構築の必要が生じたときもそれを実施することが容易でないという問題点があった。
【０００６】
また、従来の電話交換システムに於いて、テレホンカードを使用して通話する方式では、当該テレホンカードを紛失した場合、これを収拾した第三者により相手側との通話が可能となり、損害が発生するという問題点があった。
【課題を解決するための手段】
【０００７】
本発明に係るプリペイドカード方式のＩＰ電話機システムは、プリペイドカードを購入し又は所有した本人のみが、そのＩＤコードや識別番号を認識して、各店舗等に設置されている公衆電話機やＩＰ電話機を操作して、当該ＩＰ電話機等から仮想通信回路を構成したＩＰインターネットワークを介して国内及び海外の相手側との通話を可能とすると共に、当該プリペイドカードの使用後の残時間も情報を得られかつ合理的な電話機システムを構築するうえに、当該プリペイドカードを紛失したときも、第三者に無断使用されることのないＩＰ電話機システムを提供することを目的としたものであって、次の構成、手段から成立する。
【０００８】
請求項１記載の発明によれば、通話者がプリペイドカードで通話できる単一又は複数のＩＰ電話機と、該ＩＰ電話機から発信された通話送信信号を通信回線を介して、一方のゲイトウエイ及びＩＰインターネットワークに接続し、かつ該ＩＰインターネットワークに通信回線を介して他方のゲイトウエイ及び相手側の単一又は複数の電話機とに接続してなる電話システムに於いて、上記ＩＰインターネットワークに上記プリペイドカードの有効性及び通話時間を記憶・判定する手段を備えたサーバーを接続し、通話の際に上記ＩＰ電話機にプリペイドカードの有効性情報又は通話関連情報を報知することを特徴とする。
【０００９】
請求項２記載の発明によれば、通話者がプリペイドカードで通話できる単一又は複数のＩＰ電話機と、該ＩＰ電話機から発信された通話送信信号をＡＤＳＬ回線を介してファクシミリからの送受信を可能とする一方のゲートウエイ及びＩＰインターネットワークに接続し、かつ該ＩＰインターネットワークに接続された国際通話通信システム、国内通話通信システム及びローカル局システムに於いて、上記国際通話通信システム、国内通話通信システム及びローカル局システムに他方のゲートウエイ及び／又はディジタルＰＢＸを介して上記通話送信信号を受信する相手側の単一又は複数の電話機を備えてなり、上記ＩＰインターネットワークに上記プリペイドカードの有効性及び通話時間を記憶・判定する手段を備えたサーバーを接続し、通話の際に上記ＩＰ電話機にプリペイドカードの有効性情報又は通話関連情報を報知することを特徴とする。
【発明の効果】
【００１０】
本発明に係るプリペイドカード方式のＩＰ電話機システムは、叙上の構成であるので次の効果を奏する。
すなわち、本システムは複雑かつ多様な機器を必要としないで一方及び他方の小型のゲートウエイを設置し、その相互間で通話を可能とする方式であってしかもサーバー内に該プリペイドカードの有効性等記憶・判定するゲートキーパーを備えることで、システム工事、施工工数や管理工数を大幅に低減し、市場性の高いシステムを提供する効果がある。
また、ＡＤＳＬ回線又は光通信回線の如き国際インターネット回線とは異質な通信回線を使用することで、海外領域の相手方とも高品質で通話可能であるという効果がある。
また、プリペイドカードが各店舗や商店等で容易に販売取扱いを行なわれるうえに、該プリペイドカードに当該店舗等の宣伝用デザインを付し、オリジナルカードとして販売することが可能となり宣伝効果を高めることができる。
また、該プリペイドカードを紛失したときにも、ＩＤコード又は識別番号を収拾した第三者がこれを認識することができず、防犯性を有しかつ損害発生を防止する機能を有する効果がある。
【発明を実施するための最良の形態】
【００１１】
以下、本発明に係るプリペイドカード方式のＩＰ電話機システムに於ける実施の形態について添付図面に基づき詳細に説明する。
【００１２】
図１は、本発明に係るプリペイドカード方式のＩＰ電話機システムに於ける実施の形態を示すシステム図である。
７は、一方のＩＰ（インターネットプロトコル）電話機であり、各電話機７ａ、７ｂ、７ｃ等複数個ないし多数個を設置されている。尚、該ＩＰ電話機７は、汎用の公衆電話機で兼用してもよく、子機付ＩＰ電話機ないしは公衆電話機であっても差支えない。また、該ＩＰ電話機７は携帯電話や各種のＰＤＡ（情報端末機）で構成することもできる。
【００１３】
８ａは、上記一方のＩＰ電話機７の各電話機７ａないし７ｃから通信回線、ＡＤＳＬ回線又は光通信回線、例えば、ＩＳＤＮ回線９を介して接続された一方の電話交換局であり、本システムでは通称ＩＰ電話交換局である。該一方の電話交換局８ａは、上記ＩＳＤＮ回線９とは別の通信回線１０を経由してゲートウエイ１１を接続する。該ゲートウエイ１１は、ディジタル通信網としての例えば、ＩＰインターネットワーク１２に接続されている。
【００１４】
ここで、上記ゲートウエイ１１は異なる通信網（プロトコル）又はネットワークを相互に接続するための機器であって、プロトコル変換器の一種である。従って、本実施の形態に於いては上記一方の電話交換局８ａと上記ゲートウエイ１１との間にルーター（図示せず）を接続してもよい。該ルーターはＬＡＮ同志を相互に接続するための機器であって、同一プロトコルを相互に接続する機能を有する。
【００１５】
サーバー１３は、上記ＩＰインターネットワーク１２に接続されている。該サーバー１２は、例えば、ゲートキーパー又は通称でビリング（Ｂｉｌｌｉｎｇ）、スリーエイ（３Ａ）やソフトウエアとして通称ＩＶＲ等で構成され、プリペイドカード１４を総合的に管理する。
すなわち、当該プリペイドカード１４の１０桁の記号等でなるＩＤコードや識別番号の確認管理機能を備え、また、課金機能やデータ認証機能及び通話機時間の演算、記憶機能等を有する。
【００１６】
また、通話の相手側に他方のＩＰ電話機１５が設置されており、各電話機１５ａ、１５ｂ、１５ｃ等は通信回線、ＡＤＳＬ回線又は光通信回線、例えば、ＩＳＤＮ回線１６を介して他方の電話交換局８ｂに接続されている。また、該他方の電話交換局８ｂは上記ＩＳＤＮ回線１６とは別の回線１７を経由してゲートウエイ１８を接続する。
該ゲートウエイ１８は上記ＩＰインターネットワーク１２に接続されている。尚、上述したようにルーター（図示せず）を設置してもよい。
【００１７】
そして、上記ＩＰ電話機７ａ、７ｂ、７ｃは例えば、各種店舗や飲食店又は喫茶店等人の多く集合する場所に設営し、そこで、プリペイドカード販売機（図示せず）を設置するとよい。上述の通話を希望する者は、該プリペイドカード販売機等により、例えば、１０００円、３０００円等各種のプリペイドカード１４を購入する。
【００１８】
当該通話を希望する者は、上記１０００円又は３０００円等のプリペイドカード１４の表面又は裏面を磨耗又は摩擦等することにより例えば、１０桁の「１１５３２１０３４２」ＩＤコード又は識別番号を認識する。この１０桁のＩＤコード又は識別番号は各プリペイドカード１４に印刷等により特定され、これが上記サーバー１３により記憶かつ管理されている。当該通話を希望する者は、上記ＩＰ電話機７のいずれか例えば、ＩＰ電話機７ａのキーパッドを使用する。そして、先づ、所持するプリペイドカード１４のＩＤコード、すなわち上記「１１５３２１０３４２」を入力し、次に、例えば、東京都内管轄局の相手側の電話機１５に通話するときは「０３」を更に、「５２１０」「５５３１」の如く、相手側の電話機１５の電話番号を順次入力する。そして、この上記ＩＰ電話機７ａの通話入力信号が上記通信回線９を経由してゲートウエイ１１に伝送される。
そこで、別の通信回線１０を経由してＩＰインターネットワーク１２に接続されたサーバー１３が通話可能であるかどうか認証する。この認証又は検証機能は、該サーバー１３に備えた例えば、スリーエス（３Ａ）により行なう。
【００１９】
そして、該サーバー１３に備えたゲートキーパーにより、通話する相手側の電話機１５の電話番号等確認機能を行なうと共に、該サーバー１３に備えたいわゆるコンピュータソフトウエアとしての「ＩＶＲ」により通話残時間を演算する。而して、該サーバー１３は上記ゲートウエイ１１を介して通話を希望する者が使用している上記ＩＰ電話機７ａに電話が可能である旨又は利用可能な通話時間及び当該プリペイドカード１４に於ける通話残時間等を音声等により報知する。
【００２０】
また、上記ＩＰ電話機７及びその各ＩＰ電話機７ａ、７ｂ、７ｃ又は上記サーバー１３内に音声発生手段を装備することにより、各種のテレホンサービスを上記通話を希望する者に提供できる。
また、上記サーバー１３は音声翻訳サーバー等を格納することにより例えば、通話を希望する者が外国言語を使用したとき、相手側の電話機１５では日本言語に転換したサービス、すなわち、同時通訳サービスをすることもできる。
また、上記サーバー１３は別途ボイスメールサーバーと組合せてボイスメーリングサービス又はコールセンター自動転送システムすなわち、上記ＩＰ電話機７ａ、７ｂ、７ｃの故障時等アナウンスメッセージを該通話を希望する者に報知することができる。
【００２１】
尚、上記サーバー１３は音声等の情報のみでなく、例えば、上記ＩＰ電話機７ａ、７ｂ、７ｃの表示部に文字情報として、例えば、「ツウワデキマス」「アト１５ジカンツウワデキマス」の情報を表示することもできる。
【００２２】
また、当該プリペイドカード１４が適正なカードでない場合や使用済み、すなわち、通話残時間がないカードである場合、当該サーバー１３は上記ゲートウエイ１１を介して上記ＩＰ電話機７ａにシグナルメッセージを送信し、通話が不可能である旨の音声情報を通話を希望する者に報知する。
そして、通話を希望する者、つまり発信者と相手側の電話機１５の受信者が通話中に於いて、上記プリペイドカード１４の通話残時間がなくなった場合は、該サーバー１３は通話を切断する旨のシグナルメッセージを送信し、通話回線をゲートウエイ１１に備えたスイッチ手段により切断する。
【００２３】
上述の動作を完了した後該サーバー１３が上記プリペイドカード１４が適正かつ有効であると判定すれば、上記ＩＰ電話機７ａからの電話信号がＩＰインターネットワーク１２を介して通信回線１０に接続されたゲートウエイ１１に伝送される。そして、該ゲートウエイ１１は通信回線１０を経由してゲートウエイ１８を介して接続され、電話信号が相手側の電話機１５に伝送する。そして、相手側の受信者は該電話機１５の受信機により上記通話を希望する者と通話を行なう。このときの通話時間はサーバー１３の記憶演算手段（ソフトウエア）又は記憶・判定手段により記憶されこの情報を保存する。そして、上記プリペイドカード１４の通話残時間が算出し、記憶する。
【００２４】
尚、上記本発明に係るプリペイドカード方式のＩＰ電話機システムを使用する各電話機所有者とサーバーとでプロバイダ契約も可能であり、本システムの市場性や有用性を高めることができると共に各種、多様なデザインを施した該プリペイドカードに係る産業を隆盛させることができる。
【実施例】
【００２５】
次に、本発明に係るプリペイドカード方式のＩＰ電話機システムに於ける具体的な実施例について詳細に説明する。
【００２６】
図２は、本発明に係るプリペイドカード方式のＩＰ電話機システムの具体的な実施例を示すシステム図である。
図２に於いて、一方のＩＰ（インターネットプロトコル）電話機７の各電話機７ａ、７ｂ、７ｃはゲートウエイ１１、特に、小型ゲートウエイに通信回線９ａ、例えば、ＡＤＳＬ回線又は光通信回線を介して接続されている。
また、必要に応じてファックス１９も接続されている。該ゲートウエイ１１は別の通信回線１０を経由してＩＰインターネットワーク１２に接続されている。サーバー１３は、上記ＩＰインターネットワーク１２に接続されている。該サーバー１２は、例えば、ゲートキーパー又は通称でビリング（Ｂｉｌｌｉｎｇ）、スリーエイ（３Ａ）やＩＶＲ等で構成され、プリペイドカード１４を総合的に管理する。
すなわち、当該プリペイドカード１４の１０桁の記号等でなるＩＤコードや識別番号の確認管理機能を備え、また、課金機能やデータ認証機能及び通話機時間の演算、記憶機能等を有する。
尚、上記一方のＩＰ電話機７は例えば、喫茶室のテーブル等に載置して携帯電話等で兼備した子機やファクシミリ機能を有した機器等であってもよい。
【００２７】
２０はゲートウエイであり、小型の機器で構成している。該ゲートウエイ２０は専用回線２１ａ、２１ｂを介して、相手側の固定式電話機２２の各固定式電話機２２ａ、２２ｂに接続されている。上記ゲートウエイ２０及び相手側の固定式電話機２２の接続構成システムは、例えば、いわゆるローカル局を構成する。
【００２８】
また、上記インターネットワーク１２は、国内通話通信システムとしての相手側電話機接続網と、国際通話通信システムとしての相手側電話機接続網を構成している。
国内通話通信システムは、上記ＩＰインターネットワーク１２から通信回線９ａとは別の通話回線１０を経由して、ゲートウエイ２３、特に、小型ゲートウエイを接続している。そして、該ゲートウエイ２３は、通信回線１０を経由してディジタルＰＢＸ２４を接続し、更に、該ディジタルＰＢＸ２４は専用回線２５を経由して相手側の固定式電話機２６を接続している。
ここで、上記ディジタルＰＢＸ２４は上記固定式電話機２６から専用回線２５により伝送された音声等のアナログ信号をディジタル信号に変換し、ＬＳＩ（大規模集積回路）で実現するスイッチで交換処理を行なう機能を備えた機器である。
【００２９】
尚、上記固定式電話機２６は、国内通話はもとより一般電話機又は携帯電話機若しくはＰＤＡ（情報端末器）で代用してもよく、ファックス機能を備えてもよい。
【００３０】
また、上記国際通話通信システムは、上記ＩＰインターネットワーク１２から通信回線９ａとは別の通信回線１０を経由してゲートウエイ２７、特に、小型ゲートウエイを接続している。そして、該ゲートウエイ２７は、通信回線１０を経由してディジタルＰＢＸ２８を接続し、更に、該ディジタルＰＢＸ２８は、専用回線２９を経由して相手側の固定式電話機３０を接続している。
【００３１】
尚、上記固定式電話機３０は、国際通話はもとより一般電話機又は携帯電話機若しくはＰＤＡ（情報端末器）で代用してもよく、ファックス機能を備えてもよい。
【００３２】
次に、上述した本発明に係るプリペイドカード方式のＩＰ電話機システムの具体的実施例に於ける動作や操作手順等について説明する。
【００３３】
通話を希望する者は、例えば、図３（ａ）に示すようにアミューズメントセンターＡ又は図３（ｂ）に示すようにコンビニエンスストアＢの特に、店員等が目に付き易いコーナー３１、３２に設置されたＩＰ電話機７ａ、７ｂ、７ｃを使用して相手側の固定式電話機２２の各固定式電話機２２ａ、２２ｂ、２６又は３０に通話する。
【００３４】
そして、上記ＩＰ電話機７ａ、７ｂ、７ｃは例えば、各種店舗や飲食店又は喫茶店等人の多く集合する場所に設営し、そこで、プリペイドカード販売機（図示せず）を設置するとよい。上述の通話を希望する者は、該プリペイドカード販売機等により、例えば、１０００円、３０００円等各種のプリペイドカード１４を購入する。
【００３５】
当該通話を希望する者は、上記１０００円又は３０００円等のプリペイドカード１４の表面又は裏面を磨耗又は摩擦等することにより例えば、１０桁の「１１５３２１０３４２」ＩＤコード又は識別番号を認識する。この１０桁のＩＤコード又は識別番号は各プリペイドカード１４に印刷等により特定され、これが上記サーバー１３により記憶かつ管理されている。当該通話を希望する者は、上記ＩＰ電話機７のいずれか例えば、ＩＰ電話機７ａのキーパッドを使用する。そして、先づ、所持するプリペイドカード１４のＩＤコード、すなわち上記「１１５３２１０３４２」を入力し、次に、例えば、東京都内管轄局の相手側の固定式電話機２６に通話するときは「０３」を更に、「５２１０」「５５３１」の如く、相手側の固定式電話機２６の電話番号を順次入力する。そして、この上記ＩＰ電話機７ａの通話入力信号が上記通信回線９ａを経由してゲートウエイ２３に伝送される。
そこで、別の通信回線１０を経由してＩＰインターネットワーク１２に接続されたサーバー１３が通話可能であるかどうか認証する。この認証又は検証機能は、該サーバー１３に備えた例えば、スリーエス（３Ａ）により行なう。
【００３６】
そして、該サーバー１３に備えたゲートキーパーにより、通話する相手側の固定式電話機２６の電話番号等確認機能を行なうと共に、該サーバー１３に備えたいわゆるコンピュータソフトウエアとしての「ＩＶＲ」により通話残時間を演算する。而して、該サーバー１３し上記ゲートウエイ１１を介して通話を希望する者が使用している上記ＩＰ電話機７ａに電話が可能である旨又は利用可能な通話時間及び当該プリペイドカード１４に於ける通話残時間等を音声等により報知する。
【００３７】
また、上記ＩＰ電話機７及びその各ＩＰ電話機７ａ、７ｂ、７ｃ又は上記サーバー１３内に音声発生手段を装備することにより、各種のテレホンサービスを上記通話を希望する者に提供できる。
また、上記サーバー１３は音声翻訳サーバー等を格納することにより例えば、通話を希望する者が外国言語を使用したとき、相手側の固定式電話機２６では日本言語に転換したサービス、すなわち、同時通訳サービスをすることもできる。
また、上記サーバー１３は別途ボイスメールサーバーと組合せてボイスメーリングサービス又はコールセンター自動転送システムすなわち、上記ＩＰ電話機７ａ、７ｂ、７ｃの故障時等アナウンスメッセージを該通話を希望する者に報知することができる。
【００３８】
尚、上記サーバー１３は音声等の情報のみでなく、例えば、上記ＩＰ電話機７ａ、７ｂ、７ｃの表示部に文字情報として、例えば、「ツウワデキマス」「アト１５ジカンツウワデキマス」の情報を表示することもできる。
【００３９】
また、当該プリペイドカード１４が適正なカードでない場合や使用済み、すなわち、通話残時間がないカードである場合、当該サーバー１３は上記ゲートウエイ１１を介して上記ＩＰ電話機７ａにシグナルメッセージを送信し、通話が不可能である旨の音声情報を通話を希望する者に報知する。
そして、通話を希望する者、つまり発信者と相手側の固定式電話機２６の受信者が通話中に於いて、上記プリペイドカード１４の通話残時間がなくなった場合は、該サーバー１３は通話を切断する旨のシグナルメッセージを送信し、通話回線をゲートウエイ１１に備えたスイッチ手段により切断する。
【００４０】
上述の動作を完了した後該サーバー１３が上記プリペイドカード１４が適正かつ有効であると判定すれば、上記ＩＰ電話機７ａからの電話信号がＩＰインターネットワーク１２を介して通信回線１０に接続されたゲートウエイ２３に伝送される。そして、該ゲートウエイ２３は通信回線１０を経由してディジタル信号をディジタルＰＢＸ２４に伝送し、該ディジタルＰＢＸ２４はこれの信号を変換し、アナログ信号を専用回線２５を介して、相手側の固定式電話機２６に伝送する。そして、相手側の受信者は該固定式電話機２６の受信機により上記通話を希望する者と通話を行なう。このときの通話時間はサーバー１３の記憶演算手段（ソフトウエア）又は記憶・判定手段により記憶されこの情報を保存する。そして、上記プリペイドカード１４の通話残時間が算出し、記憶する。
尚、上記本発明に係るプリペイドカード方式のＩＰ電話機システムを使用する各電話機所有者とサーバーとでプロバイダ契約も可能であり、本システムの市場性や有用性を高めることができると共に各種、多様なデザインを施した該プリペイドカードに係る産業を隆盛させることができる。
【００４１】
上述と同様な操作手順や動作等により、上記通話を希望する者は、ローカル局に接続された相手側の固定式電話機２２の各固定式電話機２２ａ、２２ｂに通話することができる。更に、上記国際通話通信システムを使用して、上述と同様にして通話を希望する者は上記ＩＰ電話機７ａで例えば、海外領域に於ける相手側の固定式電話機３０に通話することができる。
この場合、通話を希望する者はＩＰ電話機７ａのキーパッドを使用して入力するとき、ＩＤコード又は識別番号を入力した後、相手側の電話番号を入力する前に「００１」と「国番号」を入力する必要があり、これは従来の通話システムと同様である。
【図面の簡単な説明】
【００４２】
【図１】本発明に係るプリペイドカード方式のＩＰ電話機システムに於ける実施の形態を示すシステム図である。
【図２】本発明に係るプリペイドカード方式のＩＰ電話機システムの具体的な実施例を示すシステム図である。
【図３】本発明に係るプリペイドカード方式のＩＰ電話機システムに於いて、当該ＩＰ電話機の設置場所を示す図面であって、（ａ）はアミューズメントセンターに設置した概要図、（ｂ）はコンビニエンスストアに設置した概要図である。
【図４】従来の技術に於ける電話交換システムの一例を示す構成図である。
【符号の説明】
【００４３】
７      一方のＩＰ電話機
７ａ    一方の各ＩＰ電話機
７ｂ    一方の各ＩＰ電話機
７ｃ    一方の各ＩＰ電話機
８ａ    一方の電話交換局
８ｂ    他方の電話交換局
９      通信回線
９ａ    通信回線（ＡＤＳＬ回線）
１０    通信回線
１１    一方のゲートウエイ
１２    ＩＰインターネットワーク
１３    サーバー
１４    プリペイドカード
１５    他方のＩＰ電話機（電話機）
１５ａ  他方の各ＩＰ電話機（電話機）
１５ｂ  他方の各ＩＰ電話機（電話機）
１５ｃ  他方の各ＩＰ電話機（電話機）
１６    通信回線
１７    通信回線
１８    他方のゲートウエイ
１９    ファックス
２０    ゲートウエイ
２１ａ  専用回線
２１ｂ  専用回線
２２    相手側の固定式電話機
２２ａ  相手側の各固定式電話機
２２ｂ  相手側の各固定式電話機
２３    ゲートウエイ
２４    ディジタルＰＢＸ
２５    専用回線
２６    相手側の固定式電話機
２７    ゲートウエイ
２８    ディジタルＰＢＸ
２９    専用回線
３０    相手側の固定式電話機
３１    アミューズメントセンターのコーナー
３２    コンビニエンスストアのコーナー
Ａ      アミューズメントセンター
Ｂ      コンビニエンスストア
【図１】
2005175999.tif 000003
【図２】
2005175999.tif 000004
【図３】
2005175999.tif 000005
【図４】
2005175999.tif 000006